(57)【要約】【課題】  汎用端末及び公衆回線を利用することにより、安価かつ拡張性の高い監視システムを提供する。【解決手段】  ユーザが監視を希望する場所に設置されたビデオカメラと、前記ビデオカメラに接続された端末と、前記端末とインターネットを介して接続され前記端末から前記ビデオカメラにより撮影された画像を受信する管理サーバとを含む監視システムであって、前記端末が、前記ビデオカメラからの画像データを記憶、蓄積する端末側画像データベースと、所定のタイミングで前記端末側画像データベースに記憶された前記画像データを前記管理サーバに対して送信する画像送信手段とを有し、前記管理サーバが、前記管理サーバから送信された前記画像データを前記端末ごとに蓄積するサーバ側画像データベースを有する。【選択図】    図１
2007166044.tif 000002
【特許請求の範囲】
【請求項１】
ユーザが監視を希望する場所に設置された１または複数のビデオカメラと、前記ビデオカメラに接続された端末と、前記端末とインターネットを介して接続され前記端末から前記ビデオカメラにより撮影された画像を受信する管理サーバとを含む監視システムであって、
前記端末が、
前記ビデオカメラからの画像データを記憶、蓄積する端末側画像データベースと、
所定のタイミングで前記端末側画像データベースに記憶された前記画像データを前記管理サーバに対して送信する画像送信手段とを有し、
前記管理サーバが、
前記管理サーバから送信された前記画像データを前記端末ごとに蓄積するサーバ側画像データベースを有することを特徴とする監視システム。
【請求項２】
前記監視システムがさらに前記端末に接続された１または複数の異常検知センサを所定の場所に有し、
前記端末が、
前記異常検知センサからの検知異常信号を受信し異常であるかを判定する異常判定手段と、
前記異常判定手段により異常と判定された場合に前記管理サーバに対して異常信号を発信する異常信号発信手段とを有し、
前記管理サーバが、
前記異常信号を受信する異常信号検知特定手段を有し、
前記端末の前記画像送信手段が前記異常信号と共に異常検知時の画像データを前記管理サーバに対して送信する請求項１に記載の監視システム。
【請求項３】
前記異常信号発信手段が前記異常信号発信時に前記異常信号に前記端末を特定する識別子を含ませ、
前記異常信号検知特定手段が前記識別子から前記端末を特定するために、
前記管理サーバが、
前記ユーザが所有する前記端末の認証情報が記憶された認証データベースと、
地図及び各地域の情報が記憶された地域情報データベースと、
前記端末の監視拠点の地図及び地域情報を表示する表示部とを有する請求項２に記載の監視システム。
【請求項４】
前記管理サーバが、
前記異常信号検知手段からの指示により前記異常検知時の画像データと共に関連機関に対して異常を通報する通報手段とを有する請求項２または３に記載の監視システム。
【請求項５】
前記異常判定手段により異常と判定された際に、
前記端末が、
前記ユーザが所有する外部端末に対して前記画像データと共に異常を通報するメール送信手段を有する請求項２乃至４のいずれかに記載の監視システム。
【請求項６】
前記管理サーバが、
前記ユーザが所有する外部端末からの接続が正規であるか否かを前記認証データベースに記憶された前記認証情報を利用して判定するための認証手段を備え、
前記管理サーバに対する前記ユーザの所有する外部端末からの認証の結果が正規であった際に、前記外部端末から入力された指示に従って前記ユーザが有する前記端末に対して指示を行う端末指示手段とを有する請求項１乃至５のいずれかに記載の監視システム。
【請求項７】
前記端末指示手段による指示があった際に、
前記端末が、
前記ビデオカメラの位置を操作するビデオカメラ位置操作手段を有する請求項６に記載の監視システム。
【請求項８】
前記異常検知センサが複数設置され、そのうちのいずれか一の異常検知センサが異常を検知した際に、前記ビデオカメラ位置操作手段が前記異常検知センサ方向に対して前記ビデオカメラの方向を操作する請求項７に記載の監視システム。
【請求項９】
前記端末がさらに、
前記端末の警戒、解除の切替入力が行われると共に、前記監視システムによる監視拠点の警戒、解除切替を行う警戒解除切替手段を含む請求項１乃至８のいずれかに記載の監視システム。
【発明の詳細な説明】
【技術分野】
【０００１】
本発明は監視システムに関し、特に汎用端末及び公衆回線を利用し安価かつ拡張性の高い監視システムに関する。
【背景技術】
【０００２】
従来、セキュリティ会社等では、住宅、ビル、マンション用に防犯用の監視システムを提供している。
【０００３】
このシステムでは通常、ビル等に取り付けた各種センサ、操作盤が、コントロールセンタに通信ネットワークを介して接続された構成となっている。各種センサが動作したときには自動的にセンタに異常が通知されるため、その後のセキュリティ会社の迅速で適切な処置により、不法侵入者による被害を防ぐことができる。また、操作盤の設定操作により、手動でセンタに通知できるようにもなっている。
【０００４】
これらセンサや操作盤とコントロールセンタへは通常、専用線を介して接続され緊急時に接続ミスやシステムダウンが無いように独自のメンテナンスが行われている。また、自宅にシステムを設置する場合にも同様の理由から専用端末が利用されている。
【０００５】
監視システムの一例として、[特許文献１]のようなシステムが良く知られている。
【特許文献１】特開２００２−２１６２７８号公報
【発明の開示】
【発明が解決しようとする課題】
【０００６】
専用線や専用端末を利用したシステムの場合、上述のように通信途中のセキュリティやメンテナンス部分では一般公衆回線を利用したシステムに対して非常に有利な一面を有する。しかしながら、専用線を利用するために各場所において専用線を工事により引く必要があり、専用端末を利用する場合にはその場所にさらに専用端末を設置する必要がある。この場合、専用線及び専用端末が汎用品でないためにセキュリティの恩恵を受ける前の準備段階にコストがかかる点は否めない。
【０００７】
また、専用端末を利用する場合、上記のような理由から専用端末の拡張性は自ら制限されてしまうという現実がある。例として、ホームセキュリティを導入していたユーザが、後に事業拡大や規模拡張のために画像監視システムを導入しようとした場合、専用端末での拡張性が無いために新たにハードウェアを購入する必要がある。
【０００８】
上記問題点に鑑み、本発明の目的は、汎用端末及び公衆回線を利用することにより、安価かつ拡張性の高い監視システムを提供することにある。
【課題を解決するための手段】
【０００９】
本発明は、汎用端末及び公衆回線を利用し安価かつ拡張性の高い監視システムに関し、本発明の上記目的は、ユーザが監視を希望する場所に設置された１または複数のビデオカメラと、前記ビデオカメラに接続された端末と、前記端末とインターネットを介して接続され前記端末から前記ビデオカメラにより撮影された画像を受信する管理サーバとを含む監視システムであって、前記端末が、前記ビデオカメラからの画像データを記憶、蓄積する端末側画像データベースと、所定のタイミングで前記端末側画像データベースに記憶された前記画像データを前記管理サーバに対して送信する画像送信手段とを有し、前記管理サーバが、前記管理サーバから送信された前記画像データを前記端末ごとに蓄積するサーバ側画像データベースを有することによって達成される。
【００１０】
また、本発明の上記目的は、前記監視システムがさらに前記端末に接続された１または複数の異常検知センサを所定の場所に有し、前記端末が、前記異常検知センサからの検知異常信号を受信し異常であるかを判定する異常判定手段と、前記異常判定手段により異常と判定された場合に前記管理サーバに対して異常信号を発信する異常信号発信手段とを有し、前記管理サーバが、前記異常信号を受信する異常信号検知特定手段を有し、前記端末の前記画像送信手段が前記異常信号と共に異常検知時の画像データを前記管理サーバに対して送信することにより、或いは前記異常信号発信手段が前記異常信号発信時に前記異常信号に前記端末を特定する識別子を含ませ、前記異常信号検知特定手段が前記識別子から前記端末を特定するために、前記管理サーバが、前記ユーザが所有する前記端末の認証情報が記憶された認証データベースと、地図及び各地域の情報が記憶された地域情報データベースと、前記端末の監視拠点の地図及び地域情報を表示する表示部とを有することにより、或いは前記管理サーバが、前記異常信号検知手段からの指示により前記異常検知時の画像データと共に関連機関に対して異常を通報する通報手段とを有することにより、或いは前記異常判定手段により異常と判定された際に、前記端末が、前記ユーザが所有する外部端末に対して前記画像データと共に異常を通報するメール送信手段を有することにより、或いは前記管理サーバが、前記ユーザが所有する外部端末からの接続が正規であるか否かを前記認証データベースに記憶された前記認証情報を利用して判定するための認証手段を備え、前記管理サーバに対する前記ユーザの所有する外部端末からの認証の結果が正規であった際に、前記外部端末から入力された指示に従って前記ユーザが有する前記端末に対して指示を行う端末指示手段とを有することにより、或いは前記端末指示手段による指示があった際に、前記端末が、前記ビデオカメラの位置を操作するビデオカメラ位置操作手段を有することにより、或いは前記異常検知センサが複数設置され、そのうちのいずれか一の異常検知センサが異常を検知した際に、前記ビデオカメラ位置操作手段が前記異常検知センサ方向に対して前記ビデオカメラの方向を操作することにより、或いは前記端末がさらに、前記端末の警戒、解除の切替入力が行われると共に、本システムによる監視拠点の警戒、解除切替を行う警戒解除切替手段を含むことによって、より効果的に達成される。
【発明の効果】
【００１１】
本発明の監視システムによれば、従来の専用端末と専用線を利用して構築された監視システムに比べ、汎用端末と公衆回線を利用している点で導入費用が安価で済むという利点がある。また、その後システムを拡張する際にもハードウェアの拡張は最小限で済み、その他はソフトウェアのみの拡張によって対応できる。さらには異常検知センサによる異常が検知された際に、画像データや動画データ及び音声データと警告を端末側からユーザが所有する外部端末に対して直接送信することができるので、ユーザは外出先においてもリアルタイムに異常発生を知ることができる。
【００１２】
さらには、汎用性があるため、１２Ｖ又は２４Ｖの出力を設けたり、ビルなどの火災報知器と連動させる、受話器を設けるなど消防法に適合した監視システムを提供することも可能である。
【発明を実施するための最良の形態】
【００１３】
本発明は、汎用端末及び公衆回線を利用した監視システムを提供することにより、安価かつ拡張性に富んだシステムを提供している。以下、図面を利用して説明する。
【００１４】
図１は、本発明に係るシステムの全体構成図である。
【００１５】
本システムは、各ユーザが希望する監視場所（以下、監視拠点とする）に所有する端末１１〜１ｎと、端末１１〜１ｎに有線または無線で接続され、監視拠点に設置される１または複数のビデオカメラ２及びビデオカメラ２に併設される１または複数の異常検知センサ３とが監視を行う拠点ごとに設置されている。
【００１６】
また、端末１１〜１ｎと公衆回線を利用して接続され、管理センタに設置される管理サーバ４と、各ユーザが個人で所有する外部端末５とを含み構成されている。
【００１７】
端末１１〜１ｎは、汎用端末であり公衆回線に常時接続可能な環境になっている。また、ビデオカメラ２及び異常検知センサ３からの情報は常時端末１１〜１ｎが受信している。
【００１８】
管理サーバ４は端末１１〜１ｎからの情報を公衆回線を介して常時受け付けると共に、ユーザが所有する外部端末５から監視拠点の情報取得及び指示要求に対応する。
【００１９】
外部端末５は、端末１１〜１ｎとは別端末であり、ユーザが監視拠点外に居る際に監視拠点の状況を把握したり、端末１１〜１ｎに対して種々の指示を与える際に利用される。
【００２０】
ビデオカメラ２及び異常検知センサ３は、それぞれ監視拠点において１または複数個設置されており、特に異常検知センサ３については空気センサ、赤外線センサ、煙センサ等の種々のセンサが組み合わされているのが好ましい。また、ビデオカメラ２では撮像された画像に対して常時、日付及び時間を挿入する機構を有するのが望ましい。
【００２１】
図２は、端末１１〜１ｎの内部構成図の一例である。
【００２２】
端末１１〜１ｎ内部には、ビデオカメラ２から送信された画像を記憶、蓄積する端末側画像データベース１１と、常時または一定時間毎に管理サーバ４に対して端末側画像データベース１１に蓄積された画像データを送信する画像送信手段１２と、異常検知センサ３による検知が異常であるか否かを検知する異常判定手段１３と、異常判定手段１３による判定が異常であった場合に管理サーバ４に対して端末１１〜１ｎを識別する識別子を含む異常信号を発信する端末異常信号発信手段１４と、管理サーバ４からの指示に従ってビデオカメラ２の位置を操作すると共に、異常検知センサ３による検知が異常であると判断された場合に、異常検知があった異常検知センサ３方向にビデオカメラ２を操作するカメラ位置操作手段１５と、異常信号発信手段１４から異常信号が発信された際にユーザが所有する外部端末５に対して、その時にビデオカメラ２によって撮像された画像データが添付されたメールを送信するメール送信手段１６とを含み構成されている。
【００２３】
また、本システムによる警戒・解除を端末１１〜１ｎ側で切替る、警戒解除入力手段１７を含み構成されている。
【００２４】
端末側画像データベース１１では、ビデオカメラ２から送信された画像データを常時記憶する。蓄積された画像データは常時または一定時間毎に管理サーバ４に送信される以外に、一定容量蓄積されるごとに送信しても良い。なお、蓄積された画像データは既に管理サーバ４に対して送信された後であれば適宜設定により削除しても構わない。
【００２５】
なお、異常信号発信手段１４により管理サーバ４に対して異常信号を発信する際には、その発信時にビデオカメラ２により撮像された画像データが画像送信手段１２により同時に管理サーバ４に対して送信される構成であるのが望ましい。カメラ位置操作手段１５は、異常検知があった異常検知センサ３方向にビデオカメラ２を操作する以外に、後述する管理サーバ４からの指示によりビデオカメラ２を操作する。
【００２６】
メール送信手段１６によるメール送信後には、動画音声配信手段（図示しない）を利用して、ユーザが所有する端末に対して動画及び音声の配信を行っても良い。
【００２７】
警戒解除入力手段１７は、キースイッチ、リモコン、ＵＳＢ入力（ＵＳＢ端子への媒体の抜き差し）、外部端末５又は管理サーバ４からの指令、さらにはその他携帯電話や一般電話回線からの指示、ＩＤカード、生体の一部のパターンを利用して個人認証を行う認証であるバイオメトリクス認証（指紋認証、網膜認証、静脈認証、音声認証、他多数の生体認証）等に従って、警戒・解除の切替を行う。この切替は、端末１１〜１ｎを所有するユーザの希望に基づいて行うことが可能であり、その時期やタイミング等は問わない。
【００２８】
また、端末１１〜１ｎは汎用端末であり、上記各手段は家庭用パソコン内に備えられたソフトウェアが動作する。
【００２９】
図３は管理センタ４の内部構成図の一例である。
【００３０】
管理サーバ４には、端末１１〜１ｎから送信された画像データを記憶、蓄積するサーバ側画像データベース４１と、端末１１〜１ｎから発信された異常信号の受信検知を行うと共に、異常信号を発信した端末１１〜１ｎを特定する異常信号検知特定手段４２と、地図及び各地域の情報を記憶している地域情報データベース４３と、異常信号検知特定手段４２によって異常信号が検知された際に関係機関に対して通報を行う通報手段４４とを含み構成されている。
【００３１】
また、ユーザが監視拠点以外の場所から監視拠点を確認する際に利用される外部端末５から管理サーバ４へのログインが行われる場合がある。この処理を行うために管理サーバ４は、外部端末５からの接続要求に対して接続を認証する認証手段４５と、認証手段４５により認証をするためのユーザ毎の情報が記憶されている認証データベース４６と、外部端末５からの指示入力に従ってそのユーザの監視拠点に設置された端末１１〜１ｎに対して指示異常信号を送出する端末指示手段４７とから構成されている。
【００３２】
異常信号検知特定手段４２により端末１１〜１ｎから発信された異常信号が検知された際には、異常信号に含まれる端末１１〜１ｎのＭＡＣアドレスや予め端末１１〜１ｎそれぞれに割り当てられた識別番号等の識別子を利用し、後述する認証データベース４６に含まれるユーザの認証情報を利用して端末１１〜１ｎが特定される。この識別子は、異常信号検出手段１４が異常信号を管理サーバ４に対して送信する際に、異常信号検出手段１４が異常信号に含ませると好ましい。
【００３３】
また、異常信号検知特定手段４２は地域情報データベース４３に記憶された地図及び地域情報から、該当する端末１１〜１ｎの監視拠点の地図及び地域情報を読み出して、管理サーバ４の表示部（図示しない）に表示する。
【００３４】
さらに、異常信号検知特定手段４２により端末１１〜１ｎから発信された異常信号が検知され、通報手段４４によって関係機関に対して通報が行われる際には、端末１１〜１ｎから異常信号発信時に同時に送信された画像データも共に送信されるのが望ましい。この際にはサーバ側画像データベース４１にて受信された該当する画像データが共に送信される。
【００３５】
外部端末５から管理サーバ４に接続要求があった際には認証が行われ、認証が正規であると判断された際には、端末指示手段４７によるユーザの監視拠点に設置された端末１１〜１ｎへの指示以外に、サーバ側画像データベース４１に記憶、蓄積されたユーザの設置拠点に存在する端末１１〜１ｎから送信された画像データを外部端末５で参照することも可能である。これは、ユーザの監視拠点に存在する端末１１〜１ｎやカメラ等が故障した場合にもサーバ側画像データベース４１に存在する画像データで監視拠点の状況を確認することが可能となる。
【００３６】
図４は本システムの異常検知センサ３により変化が検知された場合の端末１１〜１ｎ内及び管理サーバ４内の流れを示すフローチャートである。
【００３７】
通常、ビデオカメラ２による監視拠点の撮像及び撮像された画像データの端末側画像データベースへの記憶及び蓄積が常時行われている。また、常時または一定時間毎や一定容量の画像データが端末側画像データベースに蓄積された際に画像送信手段１２から管理サーバ４へと画像データの送信が行われている（このフローチャートは省略する）。
【００３８】
異常検知センサ３は、常時設置された監視拠点の状況を探知しており、何らかの変化が起こった場合には速やかに端末１１〜１ｎに変化があった旨の異常信号が送信される（ステップＳ１０１）。端末１１〜１ｎ内の異常判定手段１３ではこの異常信号の受信を受け、異常であるか否かを判断する（ステップＳ１０２）。異常検知センサの感度によっては、正常状態の範囲内でも異常信号を送信してしまう場合もあるため、異常検知センサ３から送信される異常信号は状況変化の検知度合いによって異常信号の大きさも変化させる構造であることが望ましい。この異常信号の大きさが異常判定手段１３に設定された適正範囲内であるか否かによって、異常信号発信手段１４から異常信号を管理サーバ４に対して発信するか否かを判断する。
【００３９】
センサ検知手段１３により管理サーバ４に対して異常信号を発信する旨の指令を異常信号発信手段１４が受けた場合には、管理サーバ４に対して異常信号発信手段１４が異常信号を発信する（ステップＳ１０３）。前述したように異常検知センサ３には様々な種類があり、作動した異常検知センサ４に対応して発信する異常信号も異常信号発信手段１４が変化させるのが望ましい。例として、火事の場合には波長が長い異常信号を、侵入者の場合には波長の短い異常信号を発信する等するのが望ましい。
【００４０】
一方、ビデオカメラ２は常時、監視拠点を撮像し画像データを端末１１〜１ｎへと送信している（ステップＳ１０５）。異常検知センサ３が作動した場合にもビデオカメラ２は監視拠点を撮像しており、異常検知センサ３の作動に合わせてカメラ位置操作手段１５が作動した異常検知センサ３の方向にビデオカメラを向ける操作を行うのが好ましく、これにより異常が起きた場所の明瞭な撮像を可能にする。
【００４１】
異常検知センサ３が異常検出時に撮像された画像データは、異常信号発信手段１４による管理サーバ４への異常信号発信と同時に、画像送信手段１２により管理サーバ４に対して送信される。異常信号発信手段１４は、異常信号に端末１１〜１ｎを識別する識別子を含ませる。
【００４２】
異常信号発信手段１４により発信された異常信号及び画像送信手段１２により送信された画像データは、それぞれ異常信号検知特定手段４２及びサーバ側画像データベース４１によって受信され（ステップＳ１０８）、異常信号検知特定手段４２は、認証データベース４６に含まれる認証情報と異常信号に含まれる端末１１〜１ｎの識別子とを照合し、異常信号を発信した端末１１〜１ｎを特定する。端末１１〜１ｎが特定されると、異常信号検知特定手段４２はその端末１１〜１ｎの監視拠点の地図及び地域情報を地域情報データベース４３から読み出して、管理サーバ４に含まれる表示部（図示しない）へと表示を行う。なお、地域情報とは道路情報や周囲に存在する建物の情報等である。
【００４３】
また、異常信号検知特定手段４２は直ちに通報手段４４に対して通報を行う旨の指令を出す。通報手段４４ではこの指令を受け関係機関へと通報を行うと同時に、可能であれば端末１１〜１ｎから送信された異常検出時の画像データを関係機関へと送信する。
【００４４】
なお、端末１１〜１ｎでは管理サーバ４への異常信号及び画像データの送信と共に、ユーザに対して通報するため、メール送信手段１６がメールを作成してユーザが所有する外部端末５に対してメールの送信を行う（ステップＳ１０４、ステップＳ１０７）。この際、撮像された画像データが添付され、メールを受信したユーザが監視拠点の状況がどうなっているかを一目瞭然に確認することを可能としている。メール送信後、ユーザの所有する端末に対して動画音声配信手段（図示しない）が、監視拠点の動画および音声の情報を送信しても良い。
【００４５】
図５は監視拠点をユーザが外部から確認する際に、ユーザが所有する外部端末５からの指示入力を本システムが処理する際のフローチャートである。
【００４６】
本システムへ外部端末５からユーザが接続する場合には、管理サーバ４に対して外部端末５が接続要求を行う（ステップＳ２０１）。接続要求は予めユーザ毎に発行されているＩＤ及びパスワードの送信で行われる。外部端末５固有の情報（例として携帯電話の場合は電話番号、固定端末の場合はＭＡＣアドレス等）を利用しても構わない。管理サーバ４は予めユーザ毎に認証を行うための認証情報を記憶した認証データベース４６を有しており、送信された接続要求と記憶された該当するユーザの認証情報とが合致するか否かを認証手段４５が判断する。認証が正しい場合（ステップＳ２０３）には、認証が正しいことを認証手段４５が外部端末５に対して送信する（ステップＳ２０４）。この際、外部端末５には、ユーザの監視拠点に設置された端末１１〜１ｎへの指示メニューやサーバ側画像データベース４１に記憶された画像データを表示するためのメニューが含まれたウェブサイト等が送信されるのが好ましい。
【００４７】
外部端末５では、このメニューに従ってユーザから入力された指示が管理サーバへと送信される（ステップＳ２０５）。
【００４８】
端末１１〜１ｎへの指示の場合、管理サーバ４内の端末指示手段４７が該当するユーザの監視拠点に設置された端末１１〜１ｎに対して、外部端末５から入力された指示に従って様々な動作指示が送信される。例として、カメラ位置動作、異常検知センサの感度変更、ビデオカメラ２よって撮像され端末側画像データベース１１に記憶されている画像データの管理サーバ４を介した外部端末５への送信等が外部端末５からの指示によって行われる（ステップＳ２０７）。
【００４９】
管理サーバ４に記憶された画像データを外部端末５が要求する場合には管理サーバ４１に記憶され、外部端末５から指定された画像データがサーバ側画像データベース４１から外部端末５へと送信される。
【００５０】
さらに外部端末５から監視拠点の音声及び動画取得支持に従って、現在の監視拠点の音声や動画を動画音声配信手段（図示しない）から管理サーバ４が受信し、端末指示手段４７を介して外部端末５へと送信されると好ましい。
【図面の簡単な説明】
【００５１】
【図１】本発明に係る、システムの全体構成図の一例である。
【図２】本発明に係る、端末の内部構成図の一例である。
【図３】本発明に係る、管理センタ４の内部構成図の一例である。
【図４】本発明に係る、異常検知センサにより変化が検知された場合の端末内及び管理サーバ内の流れを示すフローチャートである。
【図５】本発明に係る、監視拠点をユーザが外部から確認する際に、ユーザが所有する外部端末からの指示を本システムが処理する際のフローチャートである。
【符号の説明】
【００５２】
１          端末
２          ビデオカメラ
３          異常検知センサ
４          管理サーバ
５          外部端末
１１        端末側画像データベース
１２        画像送信手段
１３        異常判定手段
１４        異常信号発信手段
１５        カメラ位置操作手段
１６        メール送信手段
１７        警戒解除切替手段
４１        サーバ側画像データベース
４２        異常信号検知特定手段
４３        地域情報データベース
４４        通報手段
４５        認証手段
４６        認証データベース
４７        端末指示手段
【図１】
2007166044.tif 000003
【図２】
2007166044.tif 000004
【図３】
2007166044.tif 000005
【図４】
2007166044.tif 000006
【図５】
2007166044.tif 000007